【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
複数世代の帳票を管理する帳票管理装置と通信可能な情報処理装置であって、
所定の世代の帳票を出力する出力手段と、
前記出力手段で出力した帳票に対して設定された範囲に対応する他の世代の帳票に含まれるデータを前記帳票管理装置から取得する取得手段と、
ユーザの操作を検出する検出手段と、
を備え、
前記出力手段は、
前記検出手段で操作を検出した場合、前記所定の世代の帳票に、前記設定された範囲のデータのレイアウトで、前記取得手段で取得した他の世代の帳票に含まれるデータを出力すること
を特徴とする情報処理装置。
【請求項２】
前記出力手段は、
前記検出手段で操作を検出した場合、前記設定された範囲に、前記取得手段で取得した前記他の世代の帳票に含まれるデータを出力すること
を特徴とする請求項１に記載の情報処理装置。
【請求項３】
前記出力手段は、
出力された前記他の世代の帳票に含まれるデータの近傍に当該他の世代の帳票を識別する識別情報を出力すること
を特徴とする請求項１または２に記載の情報処理装置。
【請求項４】
前記出力手段は、
前記帳票に付箋を出力し、当該付箋に前記取得手段で取得した前記他の世代の帳票に含まれるデータを表示すること
を特徴とする請求項１乃至３のいずれか１項に情報処理装置。
【請求項５】
ユーザによる移動動作を受け付ける移動操作受付手段と、
前記移動操作受付手段で受け付けた移動操作による移動量を特定する移動量特定手段と
を更に備え、
前記出力手段は、
前記移動量特定手段で特定された移動量に従って、前記取得手段で取得した前記他の世代の帳票に含まれるデータを順次出力すること
を特徴とする請求項１乃至４のいずれか１項に記載の情報処理装置。
【請求項６】
ユーザによる前記帳票に対する範囲選択を受け付ける範囲選択受付手段
を更に備え、
前記取得手段は、
前記範囲選択受付手段で選択された範囲に対応する前記他の世代の帳票に含まれるデータを前記帳票管理装置から取得し、
前記出力手段は、
前記取得手段で取得した他の世代の帳票に含まれるデータを、前記範囲選択受付手段で選択された範囲に基づく所定の位置に出力すること
を特徴とする請求項１乃至５のいずれか１項に記載の情報処理装置。
【請求項７】
前記出力手段は、
前記取得手段で取得した帳票に含まれるデータを外部アプリケーションで表示させるべく、所定のファイル形式のファイルに出力すること
を特徴とする請求項１乃至６のいずれか１項に記載の情報処理装置。
【請求項８】
複数世代の帳票を管理する帳票管理装置と、前記帳票管理装置と通信可能な情報処理装置とを含む帳票管理システムであって、
前記情報処理装置は、
所定の世代の帳票を出力する出力手段と、
前記出力手段で出力した帳票に対して設定された範囲に対応する他の世代の帳票に含まれるデータを前記帳票管理装置に要求する要求手段と、
前記帳票管理装置から送信された前記他の世代の帳票に含まれるデータを受信する受信手段と、
ユーザの操作を検出する検出手段と、
を備え、
前記出力手段は、前記検出手段で操作を検出した場合、前記所定の世代の帳票に、前記設定された範囲のデータのレイアウトで、前記受信手段で受信した前記他の世代の帳票に含まれるデータを出力し、
前記帳票管理装置は、
前記要求手段で要求された前記他の世代の帳票に含まれるデータの要求を受け付ける要求受付手段と、
前記要求受付手段で受け付けた要求に応じて、前記他の世代の帳票に含まれるデータを取得する取得手段と、
前記取得手段で取得した前記他の世代の帳票に含まれるデータを前記情報処理装置に送信する送信手段と、
を備える
ことを特徴とする帳票管理システム。
【請求項９】
ユーザのタッチ操作による移動動作を検出した場合に、出力した所定の世代の帳票に設定された範囲に従って、帳票管理装置から受信した当該帳票に対する他の世代の帳票データを出力する情報処理装置と通信可能な、複数世代の帳票を管理する前記帳票管理装置であって、
他の世代の前記帳票データの要求を前記情報処理装置から受け付ける要求受付手段と、
前記要求受付手段で受け付けた要求に応じて、他の世代の前記帳票データを取得する取得手段と、
取得した他の世代の前記帳票データを前記情報処理装置に送信する送信手段と、
を備えることを特徴とする帳票管理装置。
【請求項１０】
複数世代の帳票を管理する帳票管理装置と通信可能な情報処理装置で行われる情報処理方法であって、
所定の世代の帳票を出力する出力ステップと、
前記出力ステップで出力した帳票に対して設定された範囲に対応する他の世代の帳票に含まれるデータを前記帳票管理装置から取得する取得ステップと、
ユーザの操作を検出する検出ステップと、
を含み、
前記出力ステップは、
前記検出ステップで操作を検出した場合、前記所定の世代の帳票に、前記設定された範囲のデータのレイアウトで、前記取得ステップで取得した他の世代の帳票に含まれるデータを出力する
ことを特徴とする情報処理方法。
【請求項１１】
コンピュータを、複数世代の帳票を管理する帳票管理装置と通信可能な情報処理装置として機能させるためのプログラムであって、
前記コンピュータを、
所定の世代の帳票を出力する出力手段、
前記出力手段で出力した帳票に対して設定された範囲に対応する他の世代の帳票に含まれるデータを前記帳票管理装置から取得する取得手段、
ユーザの操作を検出する検出手段、
として機能させ、
前記出力手段は、
前記検出手段で操作を検出した場合、前記所定の世代の帳票に、前記設定された範囲のデータのレイアウトで、前記取得手段で取得した他の世代の帳票に含まれるデータを出力する
ことを特徴とするプログラム。
【手続補正２】
【補正対象書類名】明細書
【補正対象項目名】発明の名称
【補正方法】変更
【補正の内容】
【発明の名称】情報処理装置、帳票管理システム、帳票管理装置、情報処理方法、及びそのプログラム
【手続補正３】
【補正対象書類名】明細書
【補正対象項目名】０００９
【補正方法】変更
【補正の内容】
【０００９】
そこで、本発明の目的は、他世代の帳票におけるデータを、簡単な操作で、閲覧可能な仕組みを提供することである。
【手続補正４】
【補正対象書類名】明細書
【補正対象項目名】００１０
【補正方法】変更
【補正の内容】
【００１０】
前述した課題を解決するための第１の発明は、複数世代の帳票を管理する帳票管理装置と通信可能な情報処理装置であって、所定の世代の帳票を出力する出力手段と、前記出力手段で出力した帳票に対して設定された範囲に対応する他の世代の帳票に含まれるデータを前記帳票管理装置から取得する取得手段と、ユーザの操作を検出する検出手段と、を備え、前記出力手段は、前記検出手段で操作を検出した場合、前記所定の世代の帳票に、前記設定された範囲のデータのレイアウトで、前記取得手段で取得した他の世代の帳票に含まれるデータを出力することを特徴とする情報処理装置である。
第１の発明によれば、他世代の帳票におけるデータを、簡単な操作で閲覧することが可能となる。
【手続補正５】
【補正対象書類名】明細書
【補正対象項目名】００１１
【補正方法】変更
【補正の内容】
【００１１】
また、前記出力手段は、前記検出手段で操作を検出した場合、前記設定された範囲に、前記取得手段で取得した前記他の世代の帳票に含まれるデータを出力することが望ましい。
これにより、選択範囲の他世代のデータを選択範囲に表示するができる。
【手続補正６】
【補正対象書類名】明細書
【補正対象項目名】００１２
【補正方法】変更
【補正の内容】
【００１２】
また、前記出力手段は、出力された前記他の世代の帳票に含まれるデータの近傍に当該他の世代の帳票を識別する識別情報を出力することが望ましい。
これにより、他世代の世代名等の識別情報も表示することができる。
【手続補正７】
【補正対象書類名】明細書
【補正対象項目名】００１３
【補正方法】変更
【補正の内容】
【００１３】
また、前記出力手段は、前記帳票に付箋を出力し、当該付箋に前記取得手段で取得した前記他の世代の帳票に含まれるデータを表示することが望ましい。
これにより、設定された範囲に対応する他世代におけるデータをユーザが認識しやすいレイアウトで表示することができる。
【手続補正８】
【補正対象書類名】明細書
【補正対象項目名】００１４
【補正方法】変更
【補正の内容】
【００１４】
また、ユーザによる移動動作を受け付ける移動操作受付手段と、前記移動操作受付手段で受け付けた移動操作による移動量を特定する移動量特定手段とを更に備え、前記出力手段は、前記移動量特定手段で特定された移動量に従って、前記取得手段で取得した前記他の世代の帳票に含まれるデータを順次出力することが望ましい。
これにより、移動操作による移動量に従って、他の世代の帳票に含まれるデータを順次出力することができる。
【手続補正９】
【補正対象書類名】明細書
【補正対象項目名】００１５
【補正方法】変更
【補正の内容】
【００１５】
また、ユーザによる前記帳票に対する範囲選択を受け付ける範囲選択受付手段を更に備え、前記取得手段は、前記範囲選択受付手段で選択された範囲に対応する前記他の世代の帳票に含まれるデータを前記帳票管理装置から取得し、前記出力手段は、前記取得手段で取得した他の世代の帳票に含まれるデータを、前記範囲選択受付手段で選択された範囲に基づく所定の位置に出力することが望ましい。
これにより、表示中の帳票において閲覧したい他世代のデータをユーザが選択することが可能となる。
【手続補正１０】
【補正対象書類名】明細書
【補正対象項目名】００１６
【補正方法】変更
【補正の内容】
【００１６】
また、前記出力手段は、前記取得手段で取得した帳票データを外部アプリケーションで表示させるべく、所定のファイル形式のファイルに出力することが望ましい。
これにより、外部アプリケーション上で複数世代の帳票データを閲覧することが可能となる。
【手続補正１１】
【補正対象書類名】明細書
【補正対象項目名】００１７
【補正方法】変更
【補正の内容】
【００１７】
第２の発明は、複数世代の帳票を管理する帳票管理装置と、前記帳票管理装置と通信可能な情報処理装置とを含む帳票管理システムであって、前記情報処理装置は、所定の世代の帳票を出力する出力手段と、前記出力手段で出力した帳票に対して設定された範囲に対応する他の世代の帳票に含まれるデータを前記帳票管理装置に要求する要求手段と、前記帳票管理装置から送信された前記他の世代の帳票に含まれるデータを受信する受信手段と、ユーザの操作を検出する検出手段と、を備え、前記出力手段は、前記検出手段で操作を検出した場合、前記所定の世代の帳票に、前記設定された範囲のデータのレイアウトで、前記受信手段で受信した前記他の世代の帳票に含まれるデータを出力し、前記帳票管理装置は、前記要求手段で要求された前記他の世代の帳票に含まれるデータの要求を受け付ける要求受付手段と、前記要求受付手段で受け付けた要求に応じて、前記他の世代の帳票に含まれるデータを取得する取得手段と、前記取得手段で取得した前記他の世代の帳票に含まれるデータを前記情報処理装置に送信する送信手段と、を備えることを特徴とする帳票管理システムある。
第２の発明によれば、他世代の帳票におけるデータを、簡単な操作で閲覧することが可能となる。
【手続補正１２】
【補正対象書類名】明細書
【補正対象項目名】００１８
【補正方法】変更
【補正の内容】
【００１８】
第３の発明は、ユーザのタッチ操作による移動動作を検出した場合に、出力した所定の世代の帳票に設定された範囲に従って、帳票管理装置から受信した当該帳票に対する他の世代の帳票データを出力する情報処理装置と通信可能な、複数世代の帳票を管理する前記帳票管理装置であって、他の世代の前記帳票データの要求を前記情報処理装置から受け付ける要求受付手段と、前記要求受付手段で受け付けた要求に応じて、他の世代の前記帳票データを取得する取得手段と、取得した他の世代の前記帳票データを前記情報処理装置に送信する送信手段と、を備えることを特徴とする帳票管理装置である。
第３の発明によれば、他世代の帳票におけるデータを、簡単な操作で閲覧することが可能となる。
【手続補正１３】
【補正対象書類名】明細書
【補正対象項目名】００１９
【補正方法】変更
【補正の内容】
【００１９】
第４の発明は、複数世代の帳票を管理する帳票管理装置と通信可能な情報処理装置で行われる情報処理方法であって、所定の世代の帳票を出力する出力ステップと、前記出力ステップで出力した帳票に対して設定された範囲に対応する他の世代の帳票に含まれるデータを前記帳票管理装置から取得する取得ステップと、ユーザの操作を検出する検出ステップと、を含み、前記出力ステップは、前記検出ステップで操作を検出した場合、前記所定の世代の帳票に、前記設定された範囲のデータのレイアウトで、前記取得ステップで取得した他の世代の帳票に含まれるデータを出力することを特徴とする情報処理方法である。
第４の発明によれば、他世代の帳票におけるデータを、簡単な操作で閲覧することが可能となる。
第５の発明は、コンピュータを、複数世代の帳票を管理する帳票管理装置と通信可能な情報処理装置として機能させるためのプログラムであって、前記コンピュータを、所定の世代の帳票を出力する出力手段、前記出力手段で出力した帳票に対して設定された範囲に対応する他の世代の帳票に含まれるデータを前記帳票管理装置から取得する取得手段、ユーザの操作を検出する検出手段、として機能させ、前記出力手段は、前記検出手段で操作を検出した場合、前記所定の世代の帳票に、前記設定された範囲のデータのレイアウトで、前記取得手段で取得した他の世代の帳票に含まれるデータを出力することを特徴とするプログラムである。
第５の発明によれば、他世代の帳票におけるデータを、簡単な操作で閲覧することが可能となる。
【手続補正１４】
【補正対象書類名】明細書
【補正対象項目名】００２０
【補正方法】変更
【補正の内容】
【００２０】
本発明によれば、他世代の帳票におけるデータを、簡単な操作で閲覧可能な仕組みを提供することができる。